(57)【要約】【課題】  管楽器、消音器およびスタンドを別個の収納ケースに入れて持ち運ばなくても吹奏練習に支障が生じないようにすることを目的としている。【解決手段】  消音器１は、胴部１１と底部１２とから構成される本体部１０を有する。胴部１１は台座部１１０と複数の脚部１１１とから構成されている。各脚部１１１の底部１２側の端部には、底部１２の縁の部分に連結されている可動部４２が設けられている。これにより、各脚部１１１は、可動部４２を支点として、回転移動可能である。各脚部１１１を回転移動させて、各脚部１１１の先端を底部１２よりも前方に位置させると、消音器１をスタンドとして使用することができる。また、各脚部１１１の先端を台座部１１０に隣接させると、消音器１を消音器として使用することができるとともに、楽器収納ケースに管楽器とともに収納することができる。【選択図】図１
2015072355.tif 000002
【特許請求の範囲】
【請求項１】
管状の胴部と、前記胴部の前端を閉塞する閉塞部と、から構成され、前記胴部の後端側から管楽器のベルに挿入される本体部を有し、
前記胴部は、前記ベルの内壁に固定される台座部を有し、
前記胴部の前記台座部よりも前端側の前記胴部の少なくとも一部または前記閉塞部の少なくとも一部を前記胴部の軸の周りに沿った方向に分割し、前記本体部の前方または前記胴部の軸から遠ざかる方向に移動可能な複数の脚部としたことを特徴とする消音器。
【請求項２】
前記複数の脚部は、前記台座部よりも前端側の前記胴部の少なくとも一部を前記胴部の軸の周りに沿った方向に分割してなる複数の部材であり、前記胴部の前端を支点として前記本体部の前方に回転移動可能であることを特徴とする請求項１に記載の消音器。
【請求項３】
前記複数の脚部は、前記閉塞部の少なくとも一部を前記胴部の軸の周りに沿った方向に分割してなる複数の部材であり、前記閉塞部の縁を支点として前記胴部の軸から遠ざかる方向に回転移動可能であることを特徴とする請求項１に記載の消音器。
【請求項４】
前記複数の脚部は、前記台座部よりも前端側の前記胴部の少なくとも一部を前記胴部の軸の周りに沿った方向に分割してなる複数の部材であり、前記胴部の外壁に沿って前記本体部の前方に摺動可能であることを特徴とする請求項１に記載の消音器。
【請求項５】
前記複数の脚部は、前記閉塞部の少なくとも一部を前記胴部の軸の周りに沿った方向に分割してなる複数の部材であり、前記胴部の軸から遠ざかる方向に摺動可能であることを特徴とする請求項１に記載の消音器。
【請求項６】
前記複数の脚部における各々の移動量を変えることで、前記胴部の軸を、移動させた後の前記複数の脚部の各先端を結んで形成される面の法線に対して傾けたことを特徴とする請求項１から４のいずれか１の請求項に記載の消音器。
【発明の詳細な説明】
【技術分野】
【０００１】
この発明は、消音器に関する。
【背景技術】
【０００２】
大きな音量でトランペットなどの管楽器を吹奏することができない場所や状況において管楽器の吹奏練習をする場合がある。このようなとき、管楽器の音量を少なくする目的で消音器が使用される（例えば特許文献１）。この種の消音器は、管楽器のベル内に挿入されて使用される。ここで、管楽器におけるベルとは、音量を増大させるために管楽器の管の径が徐々に広げられた呼気の排出口付近の部分のことを言う。
【０００３】
一方、管楽器の吹奏練習では、休憩時などにおいて、管楽器を一時的に手から離して床などに置くことがある。このときに、管楽器用のスタンドが使用される。例えば、トランペット用のスタンドは、通常、トランペットをベルの内側から固定する台座と、当該スタンドに置かれたトランペットを安定して支える脚とから構成されている。そして、トランペットは、ベルの端面を下に向けた姿勢で、台座の上方からベルが当該台座に覆い被さるようにしてスタンドに設置される。
【先行技術文献】
【特許文献】
【０００４】
【特許文献１】特許第４１２４２３６号公報
【発明の概要】
【発明が解決しようとする課題】
【０００５】
前述のように、消音器とスタンドは、管楽器の吹奏練習に欠かせないものである。このため、管楽器の吹奏者は、管楽器とともに消音器とスタンドの両方を持ち運ぶことが多い。このとき、管楽器、消音器およびスタンドを別個の収納ケースに入れて持ち運ぶのは煩わしいため、楽器収納ケースに管楽器とともに消音器とスタンドを収納して持ち運べると便利である。しかし、多くの楽器収納ケースの収納スペースには限りがある。具体的には、管楽器が収納された楽器収納ケース内における空きスペースは、手入れ用品等を収納するための小物入れを除けば、管楽器のベル内のスペースくらいである。この空きスペースに消音器とスタンドの両方を収納できると良いが、消音器をベル内に収納するとスタンドをベル内に収納するスペースが無くなり、スタンドをベル内に収納すると消音器をベル内に収納するスペースが無くなる。従って、消音器とスタンドのどちらか一方しか楽器収納ケースに管楽器とともに収納することができなかった。
【０００６】
この発明は以上のような事情に鑑みてなされたものであり、管楽器、消音器およびスタンドを別個の収納ケースに入れて持ち運ばなくても吹奏練習に支障が生じないようにすることを目的としている。
【課題を解決するための手段】
【０００７】
この発明は、管状の胴部と、前記胴部の前端を閉塞する閉塞部と、から構成され、前記胴部の後端側から管楽器のベルに挿入される本体部を有し、前記胴部は、前記ベルの内壁に固定される台座部を有し、前記胴部の前記台座部よりも前端側の前記胴部の少なくとも一部または前記閉塞部の少なくとも一部を前記胴部の軸の周りに沿った方向に分割し、前記本体部の前方または前記胴部の軸から遠ざかる方向に移動可能な複数の脚部としたことを特徴とする消音器を提供する。
【０００８】
この発明によれば、管状の胴部と、胴部の前端を閉塞する閉塞部とによりベル内の音を消音させるための空洞が形成される。このため、本消音器は、従来の消音器と同様に消音機能を有する。さらに、本消音器は、ベルの内壁に固定される台座部よりも前端側の胴部の少なくとも一部または閉塞部の少なくとも一部を分割してなる複数の脚部を有している。この複数の脚部は、本体部の前方または胴部の軸から遠ざかる方向に移動可能である。このように移動した複数の脚部が下側になるような姿勢にすると、本消音器は、台座部に固定した管楽器を安定して支持することができる。すなわち、本消音器は、スタンドとしても使用可能である。従って、楽器収納ケースに管楽器とともに本消音器を収納することで、楽器収納ケースに管楽器とともに消音器とスタンドの両方を収納することと等価になり、管楽器、消音器およびスタンドを別個の収納ケースに入れて持ち運ぶ必要が無くなる。このように、本消音器によれば、管楽器、消音器およびスタンドを別個の収納ケースに入れて持ち運ばなくても吹奏練習に支障が生じないようにすることができる。また、本消音器では、本体部の一部である複数の脚部をスタンドの脚として機能させており、消音器をスタンドとして機能させるために別個の追加部品を使用していない。このため、本消音器は、本体部にスタンドの脚を別個に取り付ける態様に比較して軽量である。また、本消音器は、コンパクトにベル内に収納することができ、別個の追加部品を楽器収納ケースに収納させる必要もない。また、本消音器によれば、スタンドの脚を本体部内の空洞に収容する態様に比較して、本体部内の空洞を十分に確保することができ、音程性能に影響を及ぼさない。
【図面の簡単な説明】
【０００９】
【図１】この発明の第１実施形態による消音器１の構成を示す縦断面図、側面図および背面図である。
【図２】同消音器１をスタンドとして機能させたときの同消音器１の構成を示す側面図および背面図である。
【図３】同消音器１における連結部４１の例を示す断面図である。
【図４】同消音器１の脚部１１１を開いた状態において各脚部１１１の位置を保持する機構の例を示す断面図である。
【図５】この発明の第２実施形態による消音器１Ａの構成を示す側面図および正面図である。
【図６】同消音器１Ａをスタンドとして機能させたときの同消音器１Ａの構成を示す側面図および正面図である。
【図７】この発明の第３実施形態による消音器１Ｂの構成を示す側面図である。
【図８】この発明の第４実施形態による消音器１Ｃの構成を示す側面図である。
【図９】同消音器１Ｃをスタンドとして機能させたときの同消音器１Ｃの構成を示す側面図および背面図である。
【図１０】この発明の第５実施形態による消音器１Ｄの構成を示す側面図である。
【図１１】同消音器１Ｄをスタンドとして機能させたときの同消音器１Ｄの構成を示す側面図および正面図である。
【発明を実施するための形態】
【００１０】
以下、図面を参照し、この発明の実施形態について説明する。
＜第１実施形態＞
本実施形態による消音器１は、消音器として機能するだけでなく、スタンドとしても機能するようにしたものである。本実施形態による消音器１は、トランペット用の消音器である。以下、本明細書では、トランペットの中心からマウスピースに向かう方向を後方と呼び、トランペットの中心からベルに向かう方向を前方と呼ぶ。
【００１１】
図１（Ａ）は、この発明の第１実施形態による消音器１を消音器として機能させている状態における同消音器１の構成を示す縦断面図であり、図１（Ｂ）は、同状態における同消音器１の構成を示す側面図であり、図１（Ｃ）は、同状態における後方から同消音器１を見たときの同消音器１の構成を示す背面図である。また、図２（Ａ）は、同消音器１をスタンドとして機能させている状態における同消音器１の構成を示す側面図であり、図２（Ｂ）は、同状態における後方から同消音器１を見たときの同消音器１の構成を示す背面図である。図１（Ａ）、図１（Ｂ）および図２（Ａ）は、消音器１をトランペットに装着した状態を示す。
【００１２】
図１および図２に示すように、消音器１は、本体部１０と、支持部３２と、支柱３１と、音程調節部３６と、支持部１６とを有する。本体部１０は、胴部１１と底部１２とから構成されている。
【００１３】
胴部１１は、略円錐管形状の中空の管体である。消音器１をトランペットに装着したとき、胴部１１の回転軸（以下、単に軸という）は、ベル３の軸に重なる。胴部１１は、前端である大径側端１１ａから後端である小径側端１１ｂに向かってトランペットのベル３の内壁に沿うようにして外径および内径が小さくなっている。胴部１１内には、空洞１３が形成される。
【００１４】
胴部１１の前端には、底部１２がある。底部１２は、皿状をなしている。底部１２は、その外面が外側方向（前方）に突出する凸曲面となるように湾曲している。底部１２の皿の底の部分は、胴部１１の軸近傍に位置している。底部１２は、その縁における端面が胴部１１の軸に垂直になるように配置されている。底部１２の縁の部分は、胴部１１の大径側端１１ａに隣接している。底部１２は、胴部１１の大径側端１１ａを閉塞させる閉塞部である。
【００１５】
底部１２の中心近傍における底部１２の内壁には、支持部３２の一端が固定されている。支持部３２は、円筒状をなしている。
【００１６】
支持部３２の内側には、丸棒状をなしている支柱３１の一端が挿入されている。すなわち、支柱３１は、支持部３２により支えられている。支柱３１は、底部１２から胴部１１の小径側端１１ｂ方向に胴部１１の軸に沿って配置されている。なお、支柱３１は、支持部３２内で支持部３２の軸方向に摺動可能であっても良い。
【００１７】
支柱３１の他端近傍には、音程調節部３６が設けられている。音程調節部３６は、ベル３の内壁に沿うようにして支柱３１の他端に向かって外径および内径が小さくなっている。音程調節部３６の大径側端３６ａは開口しており、同小径側端３６ｂは支柱３１の他端において閉塞している。
【００１８】
支持部１６は、棒状をなしている。支持部１６の一端は、胴部１１の小径側端１１ｂにおける胴部１１の内壁に固定されている。支持部１６は胴部１１の小径側端１１ｂから胴部１１の軸に向かう方向に延びている。支持部１６の他端は、支柱３１の外壁に固定されている。支持部１６は、例えば、胴部１１の軸の周りに沿った９０度毎に合計４個設けられている。各支持部１６間は開口されている。なお、支持部１６の数およびその配置は、これに限られない。
【００１９】
底部１２には、貫通孔１５が設けられている。貫通孔１５の径は、トランペットのマウスピースの最小内径と同径以上となっている。トランペットのマウスピースから吹き込まれた呼気は、トランペット内を通過し、胴部１１の小径側端１１ｂの各支持部１６の隙間から空洞１３に入り、貫通孔１５から消音器１の外部の空間に排出される。
【００２０】
胴部１１は、台座部１１０と、複数の脚部１１１（本実施形態では６個の脚部１１１）とから構成されている。台座部１１０と６個の脚部１１１は、各々分離している。台座部１１０は、胴部１１における小径側端１１ｂ近傍の部分である。台座部１１０は、支持部１６を介して支柱３１によって支えられている。台座部１１０の外壁には、ゴムやウレタンなどの柔軟な素材からなる取り付け部１４が胴部１１の軸の周りに亙って設けられている。消音器１は、小径側端１１ｂ側からトランペットのベル３に挿入される。そして、胴部１１の台座部１１０は、取り付け部１４を介してベル３の内壁に固定される。消音器１を図１の状態にして、取り付け部１４を介して台座部１１０をベル３の内壁に固定すると、底部１２の縁の部分がベル３の端面近傍に位置する。このとき、底部１２は、当該底部１２が湾曲している分だけベル３の端面よりも外側（前方側）に突出する。
【００２１】
胴部１１の脚部１１１は、胴部１１における台座部１１０よりも大径側端１１ａ側の部分である。脚部１１１は、台座部１１０と当該脚部１１１との境界部分から胴部１１の大径側端１１ａまでの胴部１１を、胴部１１の軸の周りに沿った方向に均等に６分割してなる複数の部材である。なお、脚部１１１は、６分割されたものに限られず、複数に分割されたものであれば良く、３分割以上に分割されたものであることが好ましい。また、脚部１１１は、均等に分割されたものであることが好ましいが、不均等に分割されたものであっても良い。
【００２２】
台座部１１０の脚部１１１側の端部と各脚部１１１の台座部１１０側の端部には、ゴムなどの柔軟な素材からなるパッキンが設けられている（図示略）。また、各脚部１１１における他の脚部１１１と隣接する端部にも、同様なパッキンが設けられている（図示略）。また、底部１２の縁の部分と各脚部１１１の底部１２側の端部にも、同様なパッキンが設けられている（図示略）。
【００２３】
各脚部１１１には、当該脚部１１１を隣接する脚部１１１に連結して固定するための連結部４１が各々設けられている。連結部４１を用いて各脚部１１１を連結して固定すると、各脚部１１１と台座部１１０と底部１２とにより空洞１３が形成される。空洞１３は、ベル３内の音を消音させるための空洞である。そして、台座部１１０と各脚部１１１との間、各脚部１１１間、および底部１２と各脚部１１１との間は、前述したパッキンによって各々密閉される。このように空洞１３を形成させると、消音器１は、消音器として機能する。
【００２４】
また、連結部４１は、各脚部１１１の連結を解除して脚部１１１を各個に分離することができる。連結部４１は、例えば、次のような構成である。図３は、連結部４１の例を示す断面図である。図３に示すように、一方の脚部１１１の端部に窪み４１１を設け、隣接する他方の脚部１１１の端部に、摺動させることにより端部から突出する突起４１２を設ける。そして、突起４１２を端部から突出させて窪み４１１に嵌め合わせることにより隣接する脚部１１１同士を連結する。なお、連結部４１の構成は、この例に限られず、種々の構成が考えられる。
なお、各脚部１１１と台座部１１０とを連結して固定する連結部を設けても良い。
【００２５】
各脚部１１１の底部１２側の端部には、底部１２の縁の部分に連結されている可動部４２が設けられている。可動部４２は、各脚部１１１に１個ずつ設けられている。また、各脚部１１１における可動部４２を介して底部１２と連結している部分以外の部分は、底部１２から分離されている。可動部４２は、当該可動部４２を支点として底部１２に対して各脚部１１１を回転移動させるための部材である。
【００２６】
可動部４２は、例えば、蝶番である。蝶番の一方の部材が各脚部１１１の底部１２側端（すなわち胴部１１の前端）における各脚部１１１の外壁に固定され、蝶番の他方の部材が底部１２の縁の部分における底部１２の外壁に固定される。蝶番の軸部分は、底部１２の縁の部分において胴部１１の軸の周りに沿った方向に並べられる。このため、各脚部１１１は、その底部１２側端の蝶番を支点として（換言すると、胴部１１の前端を支点として）、本体部１０の前方に回転移動可能である。すなわち、消音器１の状態を、各脚部１１１の台座部１１０側端（以下、各脚部１１１の先端ということがある）を台座部１１０に隣接させた状態（図１参照。以下、この図１に示す消音器１の状態を脚部１１１を閉じた状態と呼ぶことがある。）から、各脚部１１１の先端を本体部１０の前方に回転移動させた状態（図２参照。以下、この図２に示す消音器１の状態を脚部１１１を開いた状態と呼ぶことがある。）へ変化させることができる。より詳細に説明すると、脚部１１１を閉じた状態における各脚部１１１の先端は、胴部１１の軸から遠ざかる方向であり、かつ、前方に回転移動する。さらに、各脚部１１１の先端は、胴部１１の軸に垂直な面であり、かつ、底部１２の縁を含む面を越えて、胴部１１の軸に近づく方向であり、かつ、前方に回転移動する。そして、各脚部１１１の先端は、胴部１１の軸に垂直な面であり、かつ、底部１２における最も前方に突出している部分の外壁を含む面、または、同面よりもさらに前方に位置する。このようにして脚部１１１を開いた状態に変わる。脚部１１１を開いた状態では、各脚部１１１の先端は、各脚部１１１が胴部１１の軸に平行となる位置を越えてさらに胴部１１の軸に近づく方向に回転移動しない。
【００２７】
また、脚部１１１を開いた状態から各脚部１１１の先端を逆方向に回転移動させることにより、脚部１１１を閉じた状態に戻すことができる。より詳細に説明すると、脚部１１１を開いた状態における各脚部１１１の先端は、胴部１１の軸から遠ざかる方向であり、かつ、後方に回転移動する。さらに、各脚部１１１の先端は、胴部１１の軸に垂直な面であり、かつ、底部１２の縁を含む面を越えて、胴部１１の軸に近づく方向であり、かつ、後方に回転移動する。そして、各脚部１１１の先端は、台座部１１０に隣接する位置まで回転移動する。このようにして脚部１１１を閉じた状態に変わる。なお、可動部４２は、蝶番に限られない。
【００２８】
各脚部１１１は、脚部１１１を開いた状態においてその位置を保持する機構を有している。この保持機構は、脚部１１１を開いた状態の各脚部１１１に後方に向かう力を加えたとしても各脚部１１１が後方に回転移動しないようにしたものである。この保持機構は、例えば、次のような構成である。図４は、脚部１１１を開いた状態において各脚部１１１の位置を保持する機構の例を示す断面図である。図４に示すように、各脚部１１１の底部１２側端近傍の内壁に、その内壁に平行な爪４２１であり、かつ、摺動させることにより底部１２側端から外側に突出する爪４２１を設ける。また、底部１２の内壁に、各脚部１１１における突出された爪を受ける受け部４２２を設ける。そして、各脚部１１１の爪４２１が底部１２の受け部４２２に引っ掛かることにより、各脚部１１１は、後方に回転移動しない。なお、この保持機構は、この例に限られず、種々の構成が考えられる。また、この保持機構は、各脚部１１１を底部１２よりも前方に回転移動させたときの特定の回転角度のみにおいて各脚部１１１を保持するものであっても良いし、複数の回転角度において各脚部１１１を保持することができる多段式のものであっても良い。
【００２９】
脚部１１１を開いた状態にしたとき、脚部１１１の各々は、その回転角度が同じ位置において保持される。このため、各脚部１１１の先端を結んで形成される面は、胴部１１の軸に垂直な面となる。底部１２よりも前方に回転移動させた各脚部１１１は、消音器１をスタンドとして使用する際の脚として機能する。
以上が、消音器１の構成である。
【００３０】
次に、本実施形態による消音器１の使用態様を説明する。まず、消音器１を消音器として使用する場合について説明する。この場合、ユーザ（吹奏者）は、各脚部１１１の先端を台座部１１０に隣接させ、連結部４１を用いて各脚部１１１を連結して固定させる。すなわち、消音器１の状態を脚部１１１を閉じた状態にする。その後、ユーザは、胴部１１の小径側端１１ｂ側から消音器１をトランペットのベル３内に挿入する。取り付け部１４がベル３の内壁に当接することにより、消音器１は、トランペットに装着される。そして、ユーザは、消音器１が装着されたトランペットを吹奏する。吹奏によりベル３内に生じた音は、各脚部１１１と台座部１１０と底部１２とにより形成される空洞１３に伝搬される。そして、空洞１３に伝搬された音は、空洞１３において消音され、トランペットを吹奏する際に吹き込んだ呼気は、貫通孔１５を介して消音器１外へ排出される。すなわち、消音器１は、従来の消音器と同様にベル３内に生じた音を消音させる。
【００３１】
次に、消音器として使用していた消音器１をスタンドとして使用する場合について説明する。まず、ユーザは、トランペットに装着されている消音器１をベル３外に取り外す。次に、ユーザは、各連結部４１による連結を各々解除する。次に、ユーザは、各脚部１１１を底部１２よりも前方へ回転移動させる。次に、ユーザは、回転移動させた各脚部１１１の各々の位置を保持させる。すなわち、消音器１の状態を脚部１１１を開いた状態にする。なお、支柱３１を支持部３２内で摺動可能にした場合には、支柱３１を摺動させることにより消音器１における胴部１１の軸方向の長さを調節しても良い。
【００３２】
次に、ユーザは、トランペットを一時的に置こうとする床などに消音器１を設置する。より詳細には、ユーザは、消音器１を各脚部１１１の先端が下側となるような姿勢にし、当該各脚部１１１の先端を床などに当接させる。これにより、消音器１は、その床などに対して直立する。次に、ユーザは、トランペットを消音器１に設置する。より詳細には、ユーザは、ベル３の端面を下方に向けた姿勢でトランペットを消音器１の上方から当該消音器１に覆い被せる。このようにすると、台座部１１０の外壁に設けられている取り付け部１４がベル３の内壁に当接する。これにより、消音器１は、ベル３の内側からトランペットを支える。そして、消音器１は、トランペットを安定して保持する。
【００３３】
次に、消音器１を楽器収納ケースにトランペットとともに収納する場合について説明する。この場合、ユーザは、消音器として使用する場合と同様に、各脚部１１１の先端を台座部１１０に隣接させ、連結部４１を用いて各脚部１１１を連結して固定させる。すなわち、消音器１の状態を脚部１１１を閉じた状態にする。その後、消音器１をベル３内に挿入する。これにより、各脚部１１１は、消音器１の他の部分と同様にベル３内に収納される。そして、ユーザは、ベル３内に消音器１を収納した状態でトランペットと消音器１とを楽器収納ケースに収納する。
【００３４】
このように、本実施形態による消音器１は、胴部１１と底部１２とから構成される本体部１０を有している。胴部１１は、ベル３の内壁に固定される台座部１１０と、複数の脚部１１１とから構成されている。各脚部１１１は、台座部１１０よりも前端側の胴部１１を胴部１１の軸の周りに沿った方向に分割してなる複数の部材であり、胴部１１の前端を支点として前記本体部１０の前方に回転移動可能である。脚部１１１を閉じた状態では、各脚部１１１と台座部１１０と底部１２とによりベル３内に生じる音を消音させるための空洞１３が形成される。これにより、消音器１は、消音器として機能する。また、各脚部１１１を本体部１０の前方に回転移動させて脚部１１１を開いた状態にし、当該各脚部１１１が下側になるような姿勢にすると、消音器１は、台座部１１０に固定した管楽器を安定して支持することができる。これにより、消音器１は、トランペットを支持するスタンドとしても機能する。また、消音器１を消音器として機能させる形態にすることで、消音器１をベル３内に収納することができる。これらより、楽器収納ケースにトランペットとともに消音器１を収納することで、楽器収納ケースにトランペットとともに消音器とスタンドの両方を収納することと等価になり、トランペット、消音器およびスタンドを別個の収納ケースに入れて持ち運ぶ必要が無くなる。前述したように、消音器１は、吹奏練習に欠かせない消音器とスタンドの両方の機能を有しているため、消音器１を使用することにより吹奏練習に支障が生じない。
【００３５】
また、本実施形態による消音器１では、本体部１０の一部である複数の脚部をスタンドの脚として機能させており、消音器をスタンドとして機能させるために別個の追加部品を使用していない。このため、消音器１は、本体部にスタンドの脚を別個に取り付ける態様に比較して軽量である。また、消音器１は、コンパクトにベル内に収納することができ、別個の追加部品を楽器収納ケースに収納させる必要もない。また、消音器１によれば、スタンドの脚を本体部１０内の空洞１３に収容する態様に比較して、本体部１０内の空洞１３を十分に確保することができ、音程性能に影響を及ぼさない。
【００３６】
＜第２実施形態＞
図５（Ａ）は、この発明の第２実施形態による消音器１Ａを消音器として機能させている状態における同消音器１Ａの構成を示す側面図であり、図５（Ｂ）は、同状態における前方から同消音器１Ａを見たときの同消音器１Ａの構成を示す正面図である。また、図６（Ａ）は、同消音器１Ａをスタンドとして機能させている状態における同消音器１Ａの構成を示す側面図であり、図６（Ｂ）は、同状態における前方から同消音器１Ａを見たときの同消音器１Ａの構成を示す正面図である。本実施形態による消音器１Ａは、本体部１０に代えて本体部１０Ａを、胴部１１に代えて胴部１１Ａを、底部１２に代えて底部１２Ａを、可動部４２に代えて可動部４２Ａを、連結部４１に代えて連結部４１Ａを設けた点において第１実施形態による消音器１と異なる。
【００３７】
胴部１１Ａは、台座部１１０と脚部１１１に分割されていない点において第１実施形態による胴部１１と異なる。すなわち、胴部１１Ａは、大径側端１１Ａａから小径側端１１Ａｂに亙って一体となっている。また、胴部１１Ａは、スタンドにおける台座としての役割を果たす。
【００３８】
胴部１１Ａの前端には皿状の底部１２Ａがある。底部１２Ａは、複数の脚部１２１（本実施形態では６個の脚部１２１）から構成されている。脚部１２１は、各々分離している。脚部１２１は、底部１２Ａを胴部１１Ａの軸の周りに沿った方向に均等に６分割してなる複数の部材である。脚部１２１は、正面から見ると、扇形をなしている。なお、脚部１２１は、６分割されたものに限られず、複数に分割されたものであれば良く、３分割以上に分割されたものであることが好ましい。また、脚部１２１は、均等に分割されたものであることが好ましいが、不均等に分割されたものであっても良い。また、各脚部１２１は、支柱３１および支持部３２に固定されていない。
【００３９】
各脚部１２１における他の脚部１２１と隣接する端部には、ゴムなどの柔軟な素材からなるパッキンが設けられている（図示略）。また、各脚部１２１における円弧側の端部と胴部１１Ａの大径側端１１Ａａにも、同様なパッキンが設けられている（図示略）。
【００４０】
各脚部１２１には、当該脚部１２１を隣接する脚部１２１に連結して固定するための連結部４１Ａが各々設けられている。連結部４１Ａを用いて各脚部１２１を連結して固定することにより、各脚部１２１は、胴部１１Ａの大径側端１１Ａａを閉塞する。すなわち、各脚部１２１からなる底部１２Ａは、閉塞部として機能する。これにより、各脚部１２１と胴部１１Ａとにより空洞１３が形成される。各脚部１２１間、および、各脚部１２１と胴部１１Ａとの間は、前述したパッキンによって各々密閉される。
【００４１】
また、連結部４１Ａは、各脚部１２１の連結を解除して各脚部１２１を各個に分離するこができる。連結部４１Ａの構成は、第１実施形態による連結部４１と同様である。
【００４２】
各脚部１２１の円弧側の端部には、胴部１１Ａの大径側端１１Ａａに連結されている可動部４２Ａが設けられている。可動部４２Ａは、各脚部１２１に１個ずつ設けられている。また、各脚部１２１における可動部４２Ａを介して胴部１１Ａと連結している部分以外の部分は、胴部１１Ａから分離されている。可動部４２Ａは、当該可動部４２Ａを支点として胴部１１Ａに対して各脚部１２１を回転移動させるための部材である。
【００４３】
可動部４２Ａは、例えば、蝶番である。蝶番の一方の部材が各脚部１２１の円弧側端における各脚部１２１の外壁に固定され、蝶番の他方の部材が胴部１１Ａの大径側端１１Ａａにおける胴部１１Ａの外壁に固定される。蝶番の軸部分は、胴部１１Ａの大径側端１１Ａａにおいて胴部１１Ａの軸の周りに沿った方向に並べられる。このため、各脚部１２１は、その胴部１１Ａの大径側端１１Ａａの蝶番を支点として、胴部１１Ａの軸から遠ざかる方向に回転移動可能である。すなわち、消音器１Ａの状態を、各脚部１２１における底部１２Ａの中心側の端（以下、各脚部１２１の先端ということがある）を底部１２Ａの中心に集合させた状態（図５参照。以下、この図５に示す消音器１Ａの状態を脚部１２１を閉じた状態と呼ぶことがある。）から、各脚部１２１の先端を胴部１１Ａの軸から遠ざかる方向に回転移動させた状態（図６参照。以下、この図６に示す消音器１Ａの状態を脚部１２１を開いた状態と呼ぶことがある。）へ変化させることができる。より詳細に説明すると、脚部１２１を閉じた状態における各脚部１２１の先端は、胴部１１Ａの軸から遠ざかる方向であり、かつ、前方に回転移動する。さらに、各脚部１２１の先端は、各脚部１２１が胴部１１Ａの軸に平行となる位置を越えて、胴部１１Ａの軸から遠ざかる方向であり、かつ、後方に回転移動する。このようにして脚部１２１を開いた状態に変わる。脚部１１１を開いた状態では、各脚部１２１の先端は、胴部１１Ａの大径側端１１Ａａを含む胴部１１Ａの軸に垂直な面を越えてさらに後方に回転移動しない。このため、各脚部１２１は、ベル３に接触しない。
【００４４】
また、脚部１２１を開いた状態から各脚部１２１の先端を逆方向に回転移動させることにより、脚部１２１を閉じた状態に戻すことができる。より詳細に説明すると、脚部１２１を開いた状態における各脚部１２１の先端は、胴部１１Ａの軸に近づく方向であり、かつ、前方に回転移動する。さらに、各脚部１２１の先端は、各脚部１２１が胴部１１Ａの軸に平行となる位置を越えて、胴部１１Ａの軸に近づく方向であり、かつ、後方に回転移動する。そして、各脚部１２１の先端は、底部１２Ａの中心まで回転移動する。このようにして脚部１２１を閉じた状態に変わる。なお、可動部４２は、蝶番に限られない。
【００４５】
各脚部１２１は、脚部１２１を開いた状態においてその位置を保持する機構を有している（図示略）。この保持機構は、脚部１２１を開いた状態の各脚部１２１に、さらに後方に向かう力を加えたとしても各脚部１２１がさらに後方に回転移動しないようにしたものである。この保持機構は、例えば、蝶番が完全に開いた状態となることにより各脚部１２１の回転移動が止まるというようなものである。なお、この保持機構は、この例に限られず、種々の構成が考えられる。また、各脚部１２１は、図６に示すように、胴部１１Ａの外壁に沿って当該胴部１１Ａの外壁を前方へ延長した位置において保持されると良い。
【００４６】
脚部１２１を開いた状態にしたとき、脚部１２１の各々は、その回転角度が同じ位置において保持される。このため、各脚部１２１の先端を結んで形成される面は、胴部１１Ａの軸に垂直な面となる。
以上が、消音器１Ａの構成である。
【００４７】
次に、本実施形態による消音器１Ａの使用態様を説明する。まず、消音器１を消音器として使用する場合について説明する。この場合、ユーザは、各脚部１２１の先端を底部１２Ａの中心に集合させて、連結部４１Ａを用いて各脚部１２１を連結して固定させる。すなわち、消音器１Ａの状態を脚部１２１を閉じた状態にする。その後、ユーザは、第１実施形態による消音器１と同様に、消音器１Ａをトランペットに装着して吹奏する。吹奏によりベル３内に生じた音は、各脚部１２１と胴部１１Ａとにより形成される空洞１３に伝搬される。そして、空洞１３に伝搬された音は、空洞１３において消音され、トランペットを吹奏する際に吹き込んだ呼気は、貫通孔１５を介して消音器１Ａ外へ排出される。すなわち、消音器１Ａも、第１実施形態による消音器１と同様に、従来の消音器と同様にベル３内に生じた音を消音させる。
【００４８】
また、第１実施形態による消音器１と同様に、ユーザは、消音器として機能させる形態にした消音器１Ａをベル３内に収納し、その状態でトランペットと消音器１Ａとを楽器収納ケースに収納することができる。
【００４９】
次に、消音器として使用していた消音器１Ａをスタンドとして使用する場合について説明する。まず、ユーザは、トランペットに装着されている消音器１Ａをベル外に取り外す。次に、ユーザは、各連結部４１Ａによる連結を各々解除する。次に、ユーザは、各脚部１２１を胴部１１Ａの軸から遠ざかる方向に回転移動させる。次に、ユーザは、回転移動させた各脚部１２１の各々の位置を保持させる。すなわち、消音器１Ａの状態を脚部１２１を開いた状態にする。
【００５０】
次に、ユーザは、トランペットを一時的に置こうとする床などに各脚部１２１の先端を当接させて消音器１Ａを当該床などに設置する。そして、第１実施形態による消音器１と同様に、トランペットを消音器１Ａに設置する。なお、本実施形態では、トランペットに装着されている消音器１Ａをベル外に取り外すことなく各連結部４１Ａの連結を解除して各脚部１２１を回転移動させ、その状態の消音器１Ａを装着したまま、ベルの端面を下に向けてトランペットを置くこともできる。
【００５１】
このように、本実施形態による消音器１Ａは、底部１２Ａを胴部１１Ａの軸の周りに沿った方向に分割してなる複数の脚部１２１を有している。そして、消音器１Ａは、底部１２Ａの縁を支点として各脚部１２１を胴部１１Ａの軸から遠ざかる方向に回転移動させることにより、各脚部１２１をスタンドの脚として機能させている。
従って、第１実施形態と同様の効果を奏する。
【００５２】
＜第３実施形態＞
図７は、この発明の第３実施形態による消音器１Ｂの構成を示す側面図である。図７は、消音器１Ｂをスタンドとして機能させている状態を示す。本実施形態による消音器１Ｂは、各脚部１１１を底部１２よりも前方に回転移動させたとき、脚部１１１の各々の回転角度が異なる位置において各脚部１１１を保持するようにした点において第１実施形態による消音器１と異なる。
【００５３】
図７では、向かって左側の脚部１１１における台座部１１０からの回転角度は、他の脚部１１１における同回転角度に比べて小さく、右側の脚部１１１における台座部１１０からの回転角度は、他の脚部１１１における同回転角度に比べて大きく、中央の脚部１１１における台座部１１０からの回転角度は、左側の脚部１１１における同回転角度と右側の脚部１１１における同回転角度との間の同回転角度となっている。このように、一方に配置されている脚部１１１は、回転角度が小さい位置で保持され、それと反対方向に配置されている脚部１１１は、回転角度が大きい位置で保持される。このようにすると、各脚部１１１の先端を結んで形成される面の法線は、胴部１１の軸から傾く。すなわち、各脚部１１１の先端を机上などに当接させて消音器１Ｂをその机上などに置いたとき、当該消音器１Ｂは、傾いた状態となる。
【００５４】
本実施形態による消音器１Ｂは、例えば、トロンボーンの吹奏練習用に好適である。トロンボーンは、ベルの端面を下に向けた状態におけるトロンボーン本体の重心がベルの軸からずれている。このため、机上面に垂直に設置された消音器にトロンボーンのベルを覆い被せて消音器にトロンボーンを支持させようとすると、当該消音器は、トロンボーン本体の重心方向に傾いて倒れてしまうことが考えられる。このような問題を解決するために、本実施形態による消音器１Ｂは、胴部１１の軸を机上面の法線に対して傾けることにした。胴部１１の軸を机上面の法線に対して傾けることにより、消音器１Ｂにトロンボーンを支持させたときにおけるトロンボーン本体の重心を、消音器１Ｂの中心を通る鉛直軸近傍に位置させることができる。具体的には、机上面に設置された消音器１Ｂにトロンボーンを置く際には、机上面と胴部１１の軸とのなす角度が最も大きくなる方向にトロンボーンのスライドが配置されるように置く。このようにすると、ベルの軸に対してスライド側に偏っていたトロンボーン本体の重心が机上面と胴部１１の軸とのなす角度が最も小さくなる方向に向かってずれて、その重心が消音器１Ｂの中心を通る鉛直軸近傍に位置することとなる。従って、本実施形態による消音器１Ｂは、ベルの端面を下に向けた状態における管楽器本体の重心がベルの軸からずれるような管楽器を安定して支持することができる。
【００５５】
脚部１１１の各々の回転角度が異なる点を除いて、消音器１Ｂの構成は、第１実施形態による消音器１の構成と同一であるから、本実施形態においても、第１実施形態と同様の効果が得られる。
【００５６】
なお、各脚部１１１の先端を結んで形成される面の法線と胴部１１の軸とのなす角度（すなわち、消音器１Ｂを床などに置いたときの消音器１Ｂの傾き）は、消音器１Ｂにより支持する管楽器の種類等により決定されるのが好ましい。また、消音器１Ｂは、同角度を変更および調整することができるようにしても良い。
【００５７】
なお、トロンボーンは、スライドがベルの端面よりも前方に張り出している。このため、消音器１Ｂをトロンボーン用のスタンドとして使用するときには、スライドが床に接触しないように、消音器１Ｂを机上における縁近傍などに設置して使用することが好ましい。
【００５８】
＜第４実施形態＞
図８は、この発明の第４実施形態による消音器１Ｃを消音器として機能させている状態における同消音器１Ｃの構成を示す側面図である。また、図９（Ａ）は、同消音器１Ｃをスタンドとして機能させている状態における同消音器１Ｃの構成を示す側面図であり、図９（Ｂ）は、同状態における後方から同消音器１Ｃを見たときの同消音器１Ｃの構成を示す背面図である。本実施形態による消音器１Ｃは、本体部１０に代えて本体部１０Ｃを、胴部１１に代えて胴部１１Ｃを、脚部１１１に代えて脚部１１１Ｃを、底部１２に代えて底部１２Ｃを、可動部４２に代えて連結部４２Ｃを設け、さらにレール４３Ｃを設けた点において第１実施形態による消音器１と異なる。第１実施形態による消音器１では、可動部４２を支点として各脚部１１１を底部１２よりも前方に回転移動させて、各脚部１１１をスタンドの脚として機能させた。これに対して、本実施形態による消音器１Ｃは、各脚部１１１Ｃを当該各脚部１１１Ｃの外壁に沿った前後方向に摺動させることで各脚部１１１Ｃを底部１２よりも前方に位置させるようにしたものである。
【００５９】
各脚部１１１Ｃの形状および底部１２Ｃの形状は第１実施形態の脚部１１１の形状および底部１２の形状と同様である。
【００６０】
台座部１１０の脚部１１１Ｃ側の端部と各脚部１１１Ｃの台座部１１０側の端部には、ゴムなどの柔軟な素材からなるパッキンが設けられている（図示略）。また、各脚部１１１Ｃにおける他の脚部１１１Ｃと隣接する端部にも、同様なパッキンが設けられている（図示略）。また、底部１２Ｃの縁の部分と各脚部１１１Ｃの底部１２Ｃ側の端部にも、同様なパッキンが設けられている（図示略）。
【００６１】
各脚部１１１Ｃの底部１２Ｃ側の端部と底部１２Ｃの縁の部分には、それらを連結して固定するための連結部４２Ｃが設けられている。連結部４２Ｃの構成は、連結部４１と同様である。連結部４２Ｃを用いて各脚部１１１Ｃと底部１２Ｃとを連結して固定し、連結部４１を用いて隣接する各脚部１１１Ｃを連結して固定することにより、各脚部１１１Ｃと台座部１１０と底部１２Ｃとにより空洞１３が形成される。台座部１１０と各脚部１１１Ｃとの間、各脚部１１１Ｃ間、および底部１２Ｃと各脚部１１１Ｃとの間は、パッキンによって各々密閉される。また、連結部４２Ｃは、各脚部１１１Ｃと底部１２Ｃとの連結を解除して各脚部１１１Ｃを各個の分離することができる。
【００６２】
各脚部１１１Ｃの内壁には、レール４３Ｃが突出して設けられている。レール４３Ｃは、脚部１１１Ｃの台座部１１０側端から底部１２Ｃ側端まで延びている。レール４３Ｃの断面は、略Ｔ字状である。レール４３Ｃは、脚部１１１Ｃを胴部１１Ｃの軸の周りに沿った方向に等分する位置に設けられている。
【００６３】
底部１２Ｃの縁の部分には、各脚部１１１Ｃのレール４３Ｃに対応する溝が設けられている（図示略）。そして、レール４３Ｃはこの溝に嵌め合わされる。レール４３Ｃは、底部１２Ｃの溝内をレール４３Ｃの長手方向に沿って摺動可能である。
【００６４】
各脚部１１１Ｃは、レール４３Ｃの摺動に従って、胴部１１Ｃの外壁に沿って本体部１０Ｃの前方に摺動可能である。すなわち、消音器１Ｃの状態を、各脚部１１１Ｃにおける胴部１１Ｃの大径側端１１Ｃａとなる端（以下、各脚部１１１Ｃの先端ということがある）を底部１２Ｃの縁に隣接させた状態（図８参照。以下、この図８に示す消音器１Ｃの状態を脚部１１１Ｃを閉じた状態と呼ぶことがある。）から、各脚部１１１Ｃの先端を本体部１０Ｃの前方に摺動させた状態（図９参照。以下、この図９に示す消音器１Ｃの状態を脚部１１１Ｃを開いた状態と呼ぶことがある。）へ変化させることができる。より詳細には、各脚部１１１Ｃを閉じた状態における各脚部１１１Ｃの先端は、胴部１１Ｃの軸に垂直な面であり、かつ、底部１２Ｃにおける最も前方に突出している部分の外壁を含む面、または、同面よりもさらに前方へ摺動する。そして、各脚部１１１Ｃの台座部１１０側端近傍の部分が底部１２Ｃの縁の部分に位置する。このようにして脚部１１１Ｃを開いた状態に変わる。ここで、各脚部１１１Ｃは、ベル３の内壁と同様に、台座部１１０側端から底部１２Ｃ側端に向かって放射状に広がる形状をしている。このため、胴部１１Ｃの外壁に沿って本体部１１Ｃの前方に摺動すると、各脚部１１１Ｃの先端を結んで形成される円は、底部１２Ｃの縁が形成する円よりも大きくなる。
【００６５】
また、脚部１１１Ｃを開いた状態から各脚部１１１Ｃの先端を逆方向に摺動させることにより、脚部１１１Ｃを閉じた状態に戻すことができる。すなわち、各脚部１１１Ｃの先端は、当該脚部１１１Ｃの先端が底部１２Ｃの縁に隣接する位置まで、本体部１０Ｃの後方へ摺動する。このようにして脚部１１１Ｃを閉じた状態に変わる。
【００６６】
各脚部１１１Ｃは、脚部１１１Ｃを開いた状態においてその位置を保持する機構を有している（図示略）。この保持機構は、脚部１１１Ｃを開いた状態の各脚部１１１Ｃに、後方に向かう力を加えたとしても各脚部１１１Ｃが後方に移動しないようにしたものである。この保持機構は、例えば、次のような構成である。レール４３Ｃの台座部１１０側端近傍における当該レール４３Ｃに切欠きを設け、この切欠き部分においてレール４３Ｃを胴部１１Ｃの軸の周りに沿った方向に移動させて、レール４３Ｃを底部１２Ｃの溝からずらすようにする。これにより、レール４３Ｃの切欠き部分が底部１２Ｃの縁に引っ掛かり、各脚部１１１Ｃは保持される。なお、この保持機構は、この例に限られず、種々の構成が考えられる。
【００６７】
脚部１１１Ｃを開いた状態にしたとき、脚部１１１Ｃの各々は、前方への移動量が同じ位置において保持される。このため、各脚部１１１Ｃの先端を結んで形成される面は、胴部１１Ｃの軸に垂直な面となる。
【００６８】
本体部１０Ｃの前方に摺動させた各脚部１１１Ｃが下側になるような姿勢にすると、消音器１は、台座部１１０に固定したトランペットを安定して支持することができる。
従って、本実施形態においても、第１実施形態と同様の効果を奏する。
【００６９】
＜第５実施形態＞
図１０は、この発明の第５実施形態による消音器１Ｄを消音器として機能させている状態における同消音器１Ｄの構成を示す側面図である。また、図１１（Ａ）は、同消音器１Ｄをスタンドとして機能させている状態における同消音器１Ｄの構成を示す側面図であり、図１１（Ｂ）は、同状態における前方から同消音器１Ｄを見たときの同消音器１Ｄの構成を示す正面図である。本実施形態による消音器１Ｄは、本体部１０Ａに代えて本体部１０Ｄを、底部１２Ａに代えて底部１２Ｄを、脚部１２１に代えて脚部１２１Ｄを、可動部４２Ａに代えて連結部４２Ｄを設け、さらにレール４３Ｄを設けた点において第２実施形態による消音器１Ａと異なる。第２実施形態による消音器１Ａでは、可動部４２を支点として各脚部１２１を胴部１１Ａの軸に平行な位置よりも胴部１１Ａの軸から遠ざかる方向に回転移動させて、各脚部１２１をスタンドの脚として機能させた。これに対して、本実施形態による消音器１Ｄは、各脚部１２１Ｄを胴部１１Ｄの軸から遠ざかる方向に摺動させるようにしたものである。
【００７０】
底部１２Ｄは、筒状部１２０Ｄと、複数の脚部１２１Ｄとから構成されている。筒状部１２０Ｄは、筒状をなしており、その一端から他端に亙ってその外径および内径が一定となっている。筒状部１２０Ｄの一端は、脚部１２１Ｄに隣接している。筒状部１２０Ｄの他端は、胴部１１Ａの大径側端１１Ａａに接合されている。トランペットに消音器１Ｄが装着されたとき、筒状部１２０Ｄと胴部１１Ａの接合部近傍がベル３の端面に位置し、脚部１２１Ｄがベル３の端面よりも前方に位置する。
【００７１】
脚部１２１Ｄの形状は第２実施形態の脚部１２１の形状と同様である。
【００７２】
各脚部１２１Ｄにおける他の脚部１２１Ｄと隣接する端部には、ゴムなどの柔軟な素材からなるパッキンが設けられている（図示略）。また、筒状部１２０Ｄの脚部１２１Ｄ側の端部と各脚部１２１Ｄの円弧側の端部にも、同様なパッキンが設けられている（図示略）。
【００７３】
各脚部１２１Ｄの円弧側の端部とそれに隣接する筒状部１２０Ｄには、それらを連結して固定するための連結部４２Ｄが設けられている。連結部４２Ｄの構成は、連結部４１Ａと同様である。連結部４２Ｄを用いて各脚部１２１Ｄと筒状部１２０Ｄとを連結して固定し、連結部４１Ａを用いて隣接する各脚部１２１Ｄを連結して固定することにより、各脚部１２１Ｄと筒状部１２０Ｄと胴部１１Ａとにより空洞１３が形成される。各脚部１２１Ｄ間、および、各脚部１２１Ｄと筒状部１２０Ｄとの間は、パッキンによって各々密閉される。また、連結部４２Ｄは、各脚部１２１Ｄと筒状部１２０Ｄとの連結を解除して各脚部１２１Ｄを各個に分離することができる。
【００７４】
各脚部１２１Ｄの内壁には、レール４３Ｄが突出して設けられている。レール４３Ｄは、脚部１２１Ｄにおける底部１２Ｄの中心側端近傍から円弧側端まで延びている。レール４３Ｄの断面は、略Ｔ字状である。レール４３Ｄは、脚部１２１Ｄを胴部１１Ａの軸の周りに沿った方向に等分する位置に設けられている。
【００７５】
筒状部１２０Ｄにおける脚部１２１Ｄ側の端部には、各脚部１２１Ｄのレール４３Ｄに対応する溝が設けられている（図示略）。レール４３Ｄはこの溝に嵌め合わされる。レール４３Ｄは筒状部１２０Ｄの溝内をレール４３Ｄの長手方向に沿って摺動可能である。
【００７６】
各脚部１２１Ｄは、レール４３Ｄの摺動に従って、胴部１１Ａの軸から遠ざかる方向に摺動可能である。すなわち、消音器１Ｄの状態を、各脚部１２１Ｄの円弧側端（以下、各脚部１２１Ｄの先端ということがある）を筒状部１２０Ｄにおける脚部１２１Ｄ側端に隣接させた状態（図１０参照。以下、この図１０に示す消音器１Ｄの状態を脚部１２１Ｄを閉じた状態と呼ぶことがある。）から、各脚部１２１Ｄの先端を胴部１１Ａの軸から遠ざかる方向に摺動させた状態（図１１参照。以下、この図１１に示す消音器１Ｄの状態を脚部１２１Ｄを開いた状態と呼ぶことがある。）へ変化させることができる。より詳細には、脚部１２１Ｄを閉じた状態における各脚部１２１Ｄの先端は、胴部１１Ａの軸から遠ざかる方向に摺動する。そして、各脚部１２１Ｄにおける底部１２Ｄの中心側端近傍が筒状部１２０Ｄにおける脚部１２１Ｄ側端に位置する。このようにして脚部１２１Ｄを開いた状態に変わる。なお、各脚部１２１Ｄは、ベル３の端面よりも前方に位置しているため、ベル３に接触しない。
【００７７】
また、脚部１２１Ｄを開いた状態から各脚部１２１Ｄの先端を逆方向に摺動させることにより、脚部１２１Ｄを閉じた状態に戻すことができる。すなわち、各脚部１２１Ｄの先端は、当該脚部１２１Ｄの先端が筒状部１２０Ｄにおける脚部１２１Ｄ側端に隣接する位置まで、胴部１１Ａの軸に近づく方向に摺動する。このようにして脚部１２１Ｄを閉じた状態に変わる。
【００７８】
各脚部１２１Ｄは、脚部１２１Ｄを開いた状態においてその位置を保持する機構を有している（図示略）。この保持機構は、第４実施形態における摺動させた位置を保持する機構と同様である。
【００７９】
消音器１Ｄでは、各脚部１２１Ｄにおける底部１２Ｄの中心側端が最も前方に位置している。このため、各脚部１２１Ｄが下側になるような姿勢で消音器１Ｄを床などに置くと、各脚部１２１Ｄにおける底部１２Ｄの中心側端近傍の外壁がその床などに当接することとなる。ここで、各脚部１２１Ｄを胴部１１Ａの軸から遠ざかる方向に摺動させることにより、各脚部１２１Ｄにおける底部１２Ｄの中心側端が胴部１１Ａの軸から離れた位置に分散して配置される。また、脚部１２１Ｄの各々は、胴部１１Ａの軸から遠ざかる量が同じ位置において保持される。従って、消音器１Ｄは、各脚部１２１Ｄが下側になるような姿勢で床などの上に安定して置かれる。そして、消音器１は、胴部１１Ａに固定したトランペットを安定して支持することができる。
従って、本実施形態においても、第２実施形態と同様の効果を奏する。
【００８０】
＜他の実施形態＞
以上、この発明の第１〜第５実施形態について説明したが、この発明には他にも実施形態が考えられる。例えば次の通りである。
【００８１】
（１）上記各実施形態では、トランペット用またはトロンボーン用の消音器１〜１Ｄを例に説明したが、それ以外の管楽器に用いる消音器においても同様な技術的思想で消音器を設計することができる。特に、管楽器をベルの内側から支えることが可能な管楽器において有益である。
【００８２】
（２）上記各実施形態による消音器１〜１Ｄは、当該消音器１〜１Ｄをスタンドとして機能させるときに、全ての各脚部１１１、１２１、１１１Ｃおよび１２１Ｄを移動させていた。しかし、消音器１〜１Ｄをスタンドとして機能させるときに、全ての脚部１１１、１２１、１１１Ｃおよび１２１Ｄを移動させる必要はない。少なくとも３個の脚部を移動させれば管楽器を安定して支持することができるからである。
【００８３】
また、全ての脚部が移動可能でなくても良い。少なくとも３個の脚部が移動可能であれば管楽器を安定して支持することができるからである。例えば、第１実施形態による消音器１において、６個の脚部１１１のうち、移動可能な脚部１１１と移動可能でない脚部１１１とが、胴部１１の軸の周りに沿った方向に交互に繰り返して配置される、という具合である。また、移動可能でない脚部１１１は、可動部４２が設けられず、当該脚部１１１の底部１２側端が底部１２の縁に接続されており、当該脚部１１１の台座部１１０側端が台座部１１０の脚部１１１側端に接続されていても良い。このように、台座部１１０および底部１２に各々接続されている脚部１１１を有する場合、支持部１６を省略しても良い。台座部１１０は、支持部１６に代わり、台座部１１０および底部１１０に各々接続されている脚部１１１を介して支柱３１および底部１２に支持されるからである。また、第１実施形態の例について上述したが、他の実施形態においても同様である。
【００８４】
（３）上記第２および第５実施形態による消音器１Ａおよび１Ｄにおいて底部１２Ａおよび１２Ｄは、複数の脚部１２１および１２１Ｄにより構成されていた。しかし、底部は、少なくともその一部が複数の脚部により構成されていれば良い。例えば、次のような構成が挙げられる。底部は、その中心近傍の部分と、その中心近傍の部分以外の部分を胴部の軸の周りに沿った方向に分割された複数の部材である脚部とから構成される。そして、底部の中心近傍の部分は、支持部３２に固定されている一方、脚部は、上記第２および第５実施形態と同様に移動する、という具合である。このような態様においても、上記第２および第５実施形態と同様な効果を奏する。
【００８５】
（４）上記第１、第３および第４実施形態による消音器１、１Ｂおよび１Ｃにおいて、脚部１１１および１１１Ｃは、台座部１１０と当該脚部１１１および１１１Ｃとの境界部分から胴部１１の大径側端１１ａおよび１１Ｃａまでの胴部１１および１１Ｃを、胴部１１および１１Ｃの軸の周りに沿った方向に分割してなる複数の部材であった。しかし、脚部は、台座部よりも胴部の前端側の胴部の少なくとも一部を胴部の軸の周りに沿った方向に分割してなる複数の部材であれば良い。このような態様においても、上記第１、第３および第４実施形態と同様な効果を奏する。
【００８６】
（５）第２および第４実施形態による消音器１Ａおよび１Ｃについても、第３実施形態と同様に、脚部１２１および１１１Ｃの各々の移動量を変えることにより、当該消音器１Ａおよび１Ｃをスタンドとして機能させたときにおける当該消音器１Ａおよび１Ｃを設置する面の法線に対して当該消音器１Ａおよび１Ｃの軸を傾けるようにしても良い。
【符号の説明】
【００８７】
１，１Ａ，１Ｂ，１Ｃ，１Ｄ…消音器、３…ベル、１０，１０Ａ，１０Ｃ，１０Ｄ…本体部、１１，１１Ａ，１１Ｃ…胴部、１１０…台座部、１１１，１２１，１１１Ｃ，１２１Ｄ…脚部、１１ａ，１１Ａａ，１１Ｃａ，３６ａ…大径側端、１１ｂ，３６ｂ…小径側端、１２，１２Ａ，１２Ｃ，１２Ｄ…底部、１３…空洞、１４…取り付け部、１５…貫通孔、１６，３２…支持部、３１…支柱、３６…音程調節部、４１，４１Ａ，４２Ｃ，４２Ｄ…連結部、４２，４２Ａ…可動部、４３Ｃ，４３Ｄ…レール、４１１…窪み、４１２…突起、４２１…爪、４２２…受け部。
【図１】
2015072355.tif 000003
【図２】
2015072355.tif 000004
【図３】
2015072355.tif 000005
【図４】
2015072355.tif 000006
【図５】
2015072355.tif 000007
【図６】
2015072355.tif 000008
【図７】
2015072355.tif 000009
【図８】
2015072355.tif 000010
【図９】
2015072355.tif 000011
【図１０】
2015072355.tif 000012
【図１１】
2015072355.tif 000013